(57)【要約】【課題】釘（又はビスなど）に引っ掛けたり、紐を通して使用したりと、任意の展示方法が選択できる汎用性の高い吊り下げ金具を提供する。【解決手段】吊り下げ金具１０は、本体プレート１１と、幅方向長孔１２と、２条の縦方向長孔１３，１４と、幅方向長孔１２及び縦方向長孔１３，１４に囲まれた部分に形成されたビス孔群１５とを備える。ビス孔群１５の各孔は、ビスの軸を挿通可能で頭は挿通不可能な径の丸孔からなり、各孔同士の間隔がほぼ等間隔となる様に形成されている。縦方向長孔１３，１４の幅もビスの軸を挿通可能で頭は挿通不可能な幅とされている。幅方向長孔１２は、縦方向長孔１３，１４よりも幅が広く、中央下縁から半円形状の拡大孔部１６が形成され、上縁には鋸刃状のギザギザの凹凸１７が形成されている。【選択図】  図１
0003130820.tif 000002
【実用新案登録請求の範囲】
【請求項１】
額縁等を壁面に吊り下げるために該額縁等に固着して用いる吊り下げ金具であって、以下の構成を採用したことを特徴とする額縁等の吊り下げ金具。
（１）平板からなる本体プレートを備えていること。
（２）前記本体プレートに幅方向に伸びる幅方向長孔が形成されていること。
（３）前記本体プレートにビスの軸を挿通可能でビスの頭を挿通不可能な径の多数の丸孔からなるビス孔群が形成されていること。
（４）前記本体プレートにビスの軸を挿通可能でビスの頭を挿通不可能な幅で縦方向に伸びる縦方向長孔が形成されていること。
（５）前記幅方向長孔の一方の長孔縁のほぼ中央から本体プレートのエッジに向かって拡がる拡大孔部又は本体プレートのエッジに達する切り欠き部が形成されていること。
【請求項２】
さらに、以下の構成を備えていることを特徴とする請求項１記載の額縁等の吊り下げ金具。
（６）前記縦方向長孔は本体プレートの端よりに各１条ずつ形成されていること。
（７）前記ビス孔群は、前記幅方向長孔の前記拡大孔部又は切り欠き部が形成されていない側の縁と、前記縦方向長孔のプレート中心側の縁で囲まれていること。
【請求項３】
さらに、以下の構成を備えていることを特徴とする請求項１又は２記載の額縁等の吊り下げ金具。
（８）前記ビス孔群は、幅方向に少なくとも３列の孔群となる様にほぼ等間隔で形成されていること。
【請求項４】
さらに、以下の構成を備えていることを特徴とする請求項１〜３のいずれか記載の額縁等の吊り下げ金具。
（９）前記幅方向長孔の前記拡大孔部又は切り欠き部が形成されていない側の縁にはギザギザの凹凸が形成されていること。
【考案の詳細な説明】
【技術分野】
【０００１】
本考案は、壁面等に額縁等を吊り下げるために、額縁等の裏面に固着して用いる吊り下げ金具に関するものである。
【背景技術】
【０００２】
絵画等を壁面に吊り下げ展示するため、一般的には額縁の裏面左右に固着した紐輪に紐を結び付け、これを壁面に固着したフックに引っ掛けておく手段が最も簡便であり、広く行われている。
【０００３】
従来、こうした紐を結びつけるため、図５（Ａ）〜（Ｄ）に示した様に、フレーム裏面の溝に嵌め込んで固定するタイプの吊り下げ金具（特許文献１〜４）、図６（Ａ）に示した様にフレームの縁を挟み付ける様に固定するタイプの吊り下げ金具（特許文献５）、図６（Ｂ）、（Ｃ）に示した様にフレーム裏面にネジ止め固定するタイプの吊り下げ金具（特許文献６，７）が提案されている。
【特許文献１】実開平５−３４９７３（図１，図３，図４）
【特許文献２】実開平５−５３５６９（図２，図５）
【特許文献３】特開平９−２５２９０２（図１，図２）
【特許文献４】登録実用新案第３０２５６７３号（図１，図２）
【特許文献５】実開平４−７４０６８（図１，図３，図４）
【特許文献６】特開２０００−１１６４８０（図１，図８）
【特許文献７】実開平６−７２４６４（図３，図５）
【考案の開示】
【考案が解決しようとする課題】
【０００４】
しかしながら、特許文献１〜４の技術ではフレームの溝形状に応じて専用に設計する必要があり、特許文献５の技術においても金具を取り付けることを意図した鍔のあるフレームとしておく必要がある。特許文献６，７の技術も、フレームのどこにでも取り付けられるというものではない。
【０００５】
そこで、本考案は、額縁等の裏面の任意の箇所に任意の方向に向けて取り付けることができ、壁に打ち込んだ釘（又はビスなど）などに引っ掛けたり、従来の様に紐を通して使用したりと、吊る仕方も任意に選択できる様な汎用性の高い吊り下げ金具を提供することを目的とする。
【課題を解決するための手段】
【０００６】
上記目的を達成するためになされた本考案は、額縁等を壁面に吊り下げるために該額縁等に固着して用いる吊り下げ金具であって、以下の構成を採用したことを特徴とする。
（１）平板からなる本体プレートを備えていること。
（２）前記本体プレートに幅方向に伸びる幅方向長孔が形成されていること。
（３）前記本体プレートにビスの軸を挿通可能でビスの頭を挿通不可能な径の多数の丸孔からなるビス孔群が形成されていること。
（４）前記本体プレートにビスの軸を挿通可能でビスの頭を挿通不可能な幅で縦方向に伸びる縦方向長孔が形成されていること。
（５）前記幅方向長孔の一方の長孔縁のほぼ中央から本体プレートのエッジに向かって拡がる拡大孔部又は本体プレートのエッジに達する切り欠き部が形成されていること。
【０００７】
本考案の吊り下げ金具によれば、本体プレートには多数の丸孔からなるビス孔群を備えているので、ビスを挿通する孔を選択することによって額縁等のフレームの直線部に取り付けることも角部に取り付けることもできる。また、縦方向長孔に最初にビスを挿通して仮止めすることで、金具を固定する際の最適位置を容易に調整することができる。そして、この縦方向長孔もビス止め用に用いることができるので、本体プレートが回転してしまわない用に、複数箇所をビス止めすることも容易である。そして、幅方向長孔のほぼ中央には拡大孔部又は切り欠き部が形成されているので、壁面等に予め固定して置いた釘（又はビスなど）やフックなどに引っ掛ける様にして額縁等を壁面に展示することができる。また、この金具を額縁等の左右両方のサイドのフレームに固定して幅方向長孔間に紐を掛け渡す様にして用いてもよい。
【０００８】
ここで、本考案の吊り下げ金具は、さらに、以下の構成をも備えることができる。
（６）前記縦方向長孔は本体プレートの端よりに各１条ずつ形成されていること。
（７）前記ビス孔群は、前記幅方向長孔の前記拡大孔部又は切り欠き部が形成されていない側の縁と、前記縦方向長孔のプレート中心側の縁で囲まれていること。
【０００９】
かかる構成をも採用する場合、左右の縦方向長孔で最初に仮止めしておいて高さ調整をした後にビス孔群の内のいずれかで金具を固定する様にすれば、しっかりとした固定状態を高さ調整もスムーズに実施することができる。
【００１０】
また、上記目的を達成する上で、本考案の吊り下げ金具は、さらに、以下の構成をも備えることができる。
（８）前記ビス孔群は、幅方向に少なくとも３列の孔群となる様にほぼ等間隔で形成されていること。
【００１１】
かかる構成をも採用する場合、上述した取付位置の任意性や高さ調整の利便性がより一層向上する。
【００１２】
加えて、上記目的を達成する上で、本考案の吊り下げ金具は、さらに、以下の構成をも備えることができる。
（９）前記幅方向長孔の前記拡大孔部又は切り欠き部が形成されていない側の縁にはギザギザの凹凸が形成されていること。
【００１３】
かかる構成をも採用した場合、ギザギザの凹凸が上に位置する様に金具を取り付ければ、幅方向に長い長孔でフック等を係合させたときに左右にずれにくく、振動などによって額縁等がずれるといった新たな問題も生じない。
【考案の効果】
【００１４】
本考案によれば、額縁等の裏面の任意の箇所に任意の方向に向けて取り付けることができ、壁に打ち込んだ釘（又はビスなど）などに引っ掛けたり、従来の様に紐を通して使用したりと、吊る仕方も任意に選択できる様な汎用性の高い吊り下げ金具を提供することができる。
【考案を実施するための最良の形態】
【００１５】
以下、本考案を具体化した実施形態を図面を参照しながら詳細に説明する。第１実施形態の吊り下げ金具１０は、図１に示す様に、各角部をＲ形状としたほぼ正方形の金属板からなる本体プレート１１と、本体プレート１１の下部約１／４程度の位置で幅方向に伸びる様に形成された幅方向長孔１２と、本体プレート１１の上部１／２程度の範囲で左右両側のサイドエッジ付近を上下方向に伸びる２条の縦方向長孔１３，１４と、これら幅方向長孔１２及び縦方向長孔１３，１４に囲まれた部分に形成されたビス孔群１５とを備えている。
【００１６】
ビス孔群１５の各孔は、いずれもビスの軸を挿通可能でビスの頭は挿通不可能な径の丸孔からなり、２個，３個，２個の並びの合計７個が各孔同士の間隔がほぼ等間隔となる様に形成されている。また、縦方向長孔１３，１４の幅もビスの軸を挿通可能でビスの頭は挿通不可能な幅とされている。幅方向長孔１２は、縦方向長孔１３，１４よりも幅が広く、中央下縁から半円形状の拡大孔部１６が形成されている。また、幅方向長孔１２の上縁には鋸刃状のギザギザの凹凸１７が形成されている。この吊り下げ金具１０は、金属板に対する打ち抜き加工によって一体形成されている。
【００１７】
次に、この吊り下げ金具１０の使用方法を説明する。図２（Ａ）に実線で示す様に、額縁２０の上部フレーム２１に幅方向長孔１２を下にして隠れる様にビスで固定し、額縁２０の下部フレーム２２には幅方向長孔１２を上にして隠れる様にビスで固定する。また、図２（Ａ）に点線で示した様に、額縁２０の角部に幅方向長孔１２が内側に位置して斜め４５度となる様に斜めにビスで固定する。こうして額縁２０に固定した金具１０を用いて、図２（Ｂ）に示す様に、壁３０に打ち込んだ釘（又はビスなど）３１の頭を幅方向長孔１２の拡大孔部１６を介して挿通して引っ掛けることによって壁３０に額縁２０を吊り下げることができる。また、図２（Ｃ）に示す様に、額縁２０の下部は、壁３０に釘（又はビスなど）３１で上向きに固定した金属片３２を幅方向長孔１２に挿通する様にして固定することができる。これによって、額縁２０を上下でしっかしと固定することができる。また、上部の釘（又はビスなど）３１は幅方向長孔１２のギザギザの凹凸１７に引っ掛かるので、左右にずれない。
【００１８】
また、実施形態の吊り下げ金具１０は、図３に示す様に、額縁２０の上部フレーム２１に幅方向長孔１２を上にして飛び出す様にビスで固定し、壁３０に打ち込んだ釘（又はビスなど）３１の頭を幅方向長孔１２の拡大孔部１６に引っ掛ける様にして額縁２０を吊り下げるといった使用方法も可能である。
【００１９】
さらに、実施形態の吊り下げ金具１０は、図４に示す様に、額縁２０の左右のフレーム２３，２４に幅方向長孔１２を内側にして隠れる様にビスで固定し、幅方向長孔１２に紐３３を通して従来の様な吊り下げ方で額縁２０を壁に展示するといった使用方法も可能である。
【００２０】
この様に、第１実施形態の吊り下げ用金具１０は、汎用性が高く、種々の展示方法にて使用することができる。また、縦方向長孔１３，１４をビス止め用として備えているので、金具の取付高さの調整が容易であり、３本のビスでしっかりと止めることができるので、安定した展示が可能となる。
【００２１】
次に、第２実施形態の吊り下げ金具４０を説明する。第２実施形態の吊り下げ金具４０は、図５に示す様に、上部の両角部を面取り形状としたほぼ正方形の金属板からなる本体プレート４１と、本体プレート４１の下部約１／５程度の位置で幅方向に伸びる様に形成された幅方向長孔４２と、本体プレート４１の上部１／３程度の範囲で左右両側のサイドエッジ付近を上下方向に伸びる２条の縦方向長孔４３，４４と、これら幅方向長孔４２及び縦方向長孔４３，４４に囲まれた部分に形成されたビス孔群４５とを備えている。
【００２２】
ビス孔群４５の各孔は、いずれもビスの軸を挿通可能でビスの頭は挿通不可能な径の丸孔からなり、４個，４個，４個の並びで合計１２個が各孔同士の間隔がほぼ等間隔となる様に形成されている。また、縦方向長孔４３，４４の幅もビスの軸を挿通可能でビスの頭は挿通不可能な幅とされている。幅方向長孔４２は、縦方向長孔４３，４４よりも幅が広く、中央下縁から本体プレートのエッジに至る切り欠き部４６が形成されている。また、幅方向長孔４２の上縁には鋸刃状のギザギザの凹凸４７が形成されている。この吊り下げ金具４０も、金属板に対する打ち抜き加工によって一体形成されている。
【００２３】
第２実施形態の吊り下げ用金具４０も、第１実施形態同様に、汎用性が高く、種々の展示方法にて使用することができる。なお、拡大孔部１６ではなく切り欠き部４６としたので、上に飛び出させて吊り下げるという展示方法には適さないものの、壁３０に打ち込んだ釘（又はビスなど）３１を挿通させる作業が容易になるという利点がある。なお、紐３３を用いた吊り下げ展示には、この切り欠き部４６があることは問題にはならない。むしろ、紐３３をほどかなくても外すことができるなどのメリットがある。
【００２４】
以上、考案を実施するための最良の形態としての実施形態を説明したが、本考案は、これに限定されるものではなく、その要旨を逸脱しない範囲内における種々の変更が可能である。
【図面の簡単な説明】
【００２５】
【図１】第１実施形態の吊り下げ金具の正面図である。
【図２】第１実施形態の吊り下げ金具の使用状態の説明図である。
【図３】第１実施形態の吊り下げ金具の使用状態の説明図である。
【図４】第１実施形態の吊り下げ金具の使用状態の説明図である。
【図５】第２実施形態の吊り下げ金具の正面図である。
【図６】従来技術の説明図である。
【図７】従来技術の説明図である。
【符号の説明】
【００２６】
１０・・・吊り下げ金具
１１・・・本体プレート
１２・・・幅方向長孔
１３，１４・・・縦方向長孔
１５・・・ビス孔群
１６・・・拡大孔部
１７・・・ギザギザの凹凸
２０・・・額縁
２１・・・上部フレーム
２２・・・下部フレーム
２３，２４・・・左右のフレーム
３０・・・壁
３１・・・釘（又はビスなど）
３２・・・金属片
３３・・・紐
４０・・・吊り下げ金具
４１・・・本体プレート
４２・・・幅方向長孔
４３，４４・・・縦方向長孔
４５・・・ビス孔群
４６・・・切り欠き部
４７・・・ギザギザの凹凸
【図１】
0003130820.tif 000003
【図２】
0003130820.tif 000004
【図３】
0003130820.tif 000005
【図４】
0003130820.tif 000006
【図５】
0003130820.tif 000007
【図６】
0003130820.tif 000008
【図７】
0003130820.tif 000009